(57)【要約】  本発明は，M個の多重スポット方式で情報担体上に/上からデータブロックを書き込み/読み取る方法及び装置と，斯様な情報担体とを提案している。当該方法は，2より小さいことはない，N≦Mなる整数N及びMにて，M個の多重スポット方式のN個の書き込み器の各自に対し，事前に決められた書き込み容量に従ってデータブロックをN個の部分に分割するステップと， N個の書き込み器にて，データのN個の部分を同時に情報担体上へ対応して書込むステップとを有する。全ての書き込み器が，一つのデータブロックの異なる部分をデータ処理するので，1個のデータブロックをデータ処理するデータレートは殆どN倍に増大する。これゆえ，特定のバッファ容量がデータブロックによって占有される期間は大幅に減り，全体のバッファ容量を減らすことができ，これは，本方式のコストが大幅に下がることを意味している。
2009529751.tif 000002
【特許請求の範囲】
【請求項１】
2より小さいことはない，N≦Mなる整数N及びMにて，M個の多重スポット方式のN個の書き込み器の各自に対する事前に決められた書き込み容量に従ってデータブロックをN個の部分へと分割するステップと，
対応するN個の書き込み器で，データの前記N個の部分を情報担体上へ同時に書込むステップとを有する，M個の多重スポット方式によって情報担体上へデータブロックを書込むための方法。
【請求項２】
全ての書込まれた部分の総和がデータブロック全体と等しくなるまで，N個の書き込み器がデータブロックの異なる部分を同時に書込むとの推定条件下で，N個の書き込み器の各自の書き込み容量を計算するステップによって，前記事前に決められた書き込み容量が決められる，請求項1に記載の方法。
【請求項３】
前記N個の書き込み器の各自に対する前記事前に決められた書き込み容量を，前記書き込み容量が供されているメモリから取得するステップを更に有する，請求項1に記載の方法。
【請求項４】
前記データブロックが一体化されたデータブロックである，請求項1，2又は3に記載の方法。
【請求項５】
前記一体化されたデータブロックがECCデータブロックである，請求項4に記載の方法。
【請求項６】
前記情報担体は光ディスクであり，データの前記N個の部分が前記光ディスクのN個の隣接するトラックに書き込まれる，請求項1，2又は3に記載の方法。
【請求項７】
2より小さいことはない，N≦Mなる整数N及びMにて，M個の多重スポット方式のN個の書き込み器の各自に対する，事前に決められた書き込み容量に従ってデータブロックをN個の部分へと分割する分割手段と，
対応するN個の書き込み器で，データのN個の部分を情報担体上に同時に書込む書き込み手段とを有する，M個の多重スポット方式によって情報担体上にデータブロックを書込むための装置。
【請求項８】
全ての書込まれた部分の総和がデータブロック全体と等しくなるまで，N個の書き込み器がデータブロックの異なる部分を同時に書込むとの推定条件下で，N個の書き込み器の各自の書き込み容量を計算する計算手段を更に有する，請求項7に記載の装置。
【請求項９】
前記N個の書き込み器の各自に対する前記事前に決められた書き込み容量を，前記書き込み容量が供されているメモリから取得する取得手段を更に有する，請求項７に記載の装置。
【請求項１０】
前記データブロックが一体化されたデータブロックである，請求項8又は９に記載の装置。
【請求項１１】
前記データブロックがECCデータブロックである，請求項10に記載の装置。
【請求項１２】
前記情報担体は光ディスクであり，データの前記N個の部分が前記光ディスクのN個の隣接するトラックに書き込まれる，請求項7，8又は９に記載の方法。
【請求項１３】
情報をデータブロックへと編集する編集器と，
M個の多重スポット方式によって前記データブロックを情報担体上へと書込む装置とを有する情報担体レコーダであって，当該装置は，
−2より小さいことはない，N≦Mなる整数N及びMにて，M個の多重スポット方式のN個の書き込み器の各自に対する事前に決められた書き込み容量に従って，前記データブロックをN個の部分へと分割する分割手段と，
−対応するN個の書き込み器で，データのN個の部分を情報担体上へ同時に書込む書き込み手段とを有する，情報担体レコーダ。
【請求項１４】
2より小さいことはない整数Nにて，N個より多くの不連続の記憶エリアと
N個の不連続な記憶エリアに別々に記憶されているN個の部分から成るデータブロックとを有する，情報担体。
【請求項１５】
前記情報担体は光ディスクであり，前記N個の不連続な記憶エリアがN個の隣接する記憶トラックである，請求項14に記載の情報担体。
【請求項１６】
2より小さいことはない，N≦Mなる整数N及びMにて，M個の多重スポット方式のN個の読み取り器によってデータブロックのN個の部分を同時に拾い上げるステップと，
前記N個の部分を全体のデータブロックへと一体化するステップとを有する，M個の多重スポット方式によって，請求項14又は15に記載の情報担体を読み取る方法。
【請求項１７】
2より小さいことはない，N≦Mなる整数N及びMにて，N個の読み取り器によってデータブロックのN個の部分を同時に拾い上げるためのピックアップ手段と，
前記N個の部分を全体のデータブロックへと一体化するための一体化手段とを有する，M個の多重スポット方式によって，請求項14又は15に記載の情報担体を読み取るための装置。
【請求項１８】
2より小さいことはない整数Mにて，M個の多重スポット方式の各書き込み器に対する事前に決められた書き込み容量を供するメモリを有する情報担体。
【請求項１９】
前記書き込み容量に従って前記データブロックから分割された各部分についての割り当て情報を有する，請求項18に記載の情報担体。
【発明の詳細な説明】
【技術分野】
【０００１】
本発明は，情報担体の書き込み/読み取りのための方法及び装置と，斯様な情報担体とに関する。
【０００２】
本発明はオプティカルストレージの分野で使われることができる。
【背景技術】
【０００３】
大容量ストレージは，ここ数年で急速に進歩した。これに対応して，情報を記憶し再生するデータレートは顕著に改善された。より効率の高いデータ処理の要件を満たすために，より高いデータレートが実現されねばならない。
【０００４】
オプティカルストレージの技術分野において，データレートを増すための一つの既知の技術は，光ディスクの回転速度を増大させることによる。しかし，動作温度などの多数の制限が，回転速度をより高く増大させることをブロックしている。現在，回転速度はすでに高く，従って，より高くすることは困難である。
【発明の開示】
【発明が解決しようとする課題】
【０００５】
データレートを増大させる別の既知の技術が多重スポット方式である。この方式は，光ディスクの複数のトラックに/からデータを同時に書き込み及び/又は読み取る平行な多重ビーム（多重書き込み器/読み取り器）を用いており，各ビームに対応して，光ディスクへ書き込まれる又は光ディスクから拾われたデータをバッファリングするためのバッファが存在する。幾つかの条件下では，全ての書き込み器又は読み取り器に対して，より大きなバッファリング容量をもつ大きなバッファが存在する。もし多重スポット方式がN個のビームをもっているとすると，斯様な方式のデータレートは，単一スポット方式が到達できるデータレートの殆どN倍であり得る。ここで，Nは2より小さくない整数である。
【０００６】
DVD（デジタル万能ディスク）ディスクでは，ビデオデータはECC（エラー訂正コード）データブロックとして記憶されている。当該ディスクを再生するとき，ECCデータブロックの全てのデータが蓄積される以前に，エラー訂正が実行されることはできない。データブロックを更にデータ処理する前に，バッファは全ECCブロックが蓄積されるのを待たねばならない。N個の読み取り器がある場合，各バッファは関連するブロックが蓄積されるのを待たねばならない。
【０００７】
多重スポット方式では，各スポットが自身のバッファ又は大きなバッファの一部をもつので，バッファリングのコストが高い。より高いデータレートを得るためには，Nがより大きくなければならないばかりか，より多くのバッファもまた設定されねばならない。より多くのスポット数及びより多くのバッファは，システムのより高い複雑さと，より高いコストとを意味する。
【０００８】
しかしながら，これらの既知の技術は，データレートを増大することに対して，高いコスト又は高い温度等などの幾つかの制限を持っている。
【課題を解決するための手段】
【０００９】
本発明の目的は，より高いデータレートと，より少ないコストとをもつ，M個の多重スポット方式で，情報担体上にデータブロックを書込むための方法を提案することである。この目的のために，本発明による方法は，
−2より小さいことはない，N≦Mなる整数N及びMにて，M個の多重スポット方式のN個の書き込み器の各自に対する，事前に決められた書き込み容量に従ってデータブロックをN個の部分へと分割するステップと，
−対応するN個の書き込み器で，データのN個の部分を情報担体上へ同時に書込むステップとを有する。
【００１０】
この発明における書き込み容量とは，書き込み器が特定の期間に書込むことができるデータの量又はデータの割合である。N個の書き込み器の各自の，事前に決められた書き込み容量は，全ての書込まれた部分の総和がデータブロック全体と等しくなるまで，N個の書き込み器がデータブロックの異なる部分を同時に書込むとの推定条件下で計算されることによって決められることができ，又はメモリから得られることもできる。
【００１１】
M個の多重スポット方式によって情報担体上にデータブロックを書込むための装置を提案することも本発明の目的である。この目的のために，本発明による装置は，
−2より小さいことはない，N≦Mなる整数N及びMにて，M個の多重スポット方式のN個の書き込み器の各自に対する，事前に決められた書き込み容量に従ってデータブロックをN個の部分へと分割する分割手段と，
−対応するN個の書き込み器で，データのN個の部分を情報担体上に同時に書込む書き込み手段とを有する。
【００１２】
当該書き込み装置は，全ての書込まれた部分の総和がデータブロック全体と等しくなるまで，N個の書き込み器がデータブロックの異なる部分を同時に書込むとの推定条件下で，N個の書き込み器の各自の書き込み容量を計算する，計算手段を含むことができる。
【００１３】
M個の多重スポット方式で読み取ることのできる情報担体を提案することも，本発明の目的である。この目的のために，本発明による情報担体はN個より多くの分離された記憶エリアと，N個の部分から成るデータブロックとを有する。ここで，Nは2より小さくない整数であり，N個のデータブロックの部分は，N個の分離された記憶エリアに別々に記憶される。当該情報担体は，光ディスクであることが可能で，N個の分離された記憶エリアは，N個の隣接する記録トラックであることが可能である。
【００１４】
M個の多重スポット方式をもつ，この発明に従って提案された情報担体を読み取るための方法を提案することも，本発明の目的である。この目的のために，本発明による方法は，
−2より小さいことはない，N≦Mなる整数N及びMにて，M個の多重スポット方式のN個の読み取り器でデータブロックのN個の部分を同時に拾い上げるステップと，
−当該N個の部分を全体のデータブロックへと一体化するステップとを有する。
【００１５】
M個の多重スポットをもつ，この発明に従って提案された情報担体を読み取るための装置を提案することも，本発明の目的である。この目的のために，本発明による装置は，
−2より小さいことはない，N≦Mなる整数N及びMにて，M個の多重スポット方式のN個の読み取り器でデータブロックのN個の部分を同時に拾い上げるためのピックアップ手段と，
−当該N個の部分を全体のデータブロックへと一体化するための一体化手段とを有する。
【００１６】
好ましくは，M個の多重スポット方式のN個の書き込み器/読み取り器は，情報担体上に/上からN個の部分を実質的に同時に書込む/読み取る。データブロックがN個の等しい部分へと分割できない場合は，幾つかの書き込み器は，より多くのデータを書き込み/読み取り，この結果、書き込み/読み取りは少々後に遅れて終了する。
【００１７】
当該情報担体は光ディスクであることが可能で，書き込む容量は，書き込み器が書込むことのできるトラック長へと変換されることができる。N個のトラック長の総和は，連続した螺旋形状をしたデータブロックの全トラック長に等しく，これらN個の書き込み器はN個の部分を実質的に同時に書込むので，データブロック全体に必要とされる書き込み容量に対するN個の書き込み器の各々の書き込み容量の割合を得ることが当業者にとっては明らかである。
【００１８】
好ましくは，データブロックのN個の部分を書込むためのN個のトラックは，隣接していて，平行である。好ましくは，当該データブロックは，データブロック全体として一体化されない限りはデータ処理されることができない，ECCブロックなどの一体化されたデータブロックであることが可能である。
【００１９】
NがMと等しい場合，1個のデータブロックのみがM個の多重スポット方式にて一度にデータ処理される。Mが偶数である場合，NはM/2等であることが可能である。好ましくは，一度にデータ処理されるデータブロックの数は整数である。
【００２０】
本発明によれば，データブロックは1次元の態様にて単一の螺旋の連続トラック中に記憶される代わりに， 2次元の態様にてN個の隣接トラック内に記憶されてもよい。データブロックのN個の部分が，N個の書き込み器/読み取り器で光ディスク上に/上から同時に書き込まれる/読み取られる。これゆえ，データブロックを蓄積するための時間は，従来のM個の多重スポット方式，又は単一スポット方式に比べて殆ど1/Nに短縮される。データブロック全体の蓄積を待つ時間は，より短くてすみ，1個のデータブロックをデータ処理するデータレートは，より少ないコストで，殆どN倍へと大幅に増大する。
【００２１】
更に，本発明によって，データブロックは大変迅速に蓄積され，データブロックを更にデータ処理するためのバッファ時間は，蓄積時間よりも非常に少ない。これゆえ，特定のバッファ容量がデータブロックによって占有される期間は大幅に減じられ，この結果、全体のバッファリング容量が減じられることができ，これは，M個の多重スポット方式のバッファリングのコストが大幅に下がることを意味している。
【００２２】
本発明の詳細な説明及び本発明の他の態様が以下に与えられよう。
【００２３】
本発明の特定の態様が，添付の図面と関連して考慮された，これ以降説明される実施例を参照して，ここで説明されよう。図中，同一の部品又は同一のサブステップは，同じ態様にて指定されている。
【発明を実施するための最良の形態】
【００２４】
図1は，本発明の一つの実施例に従った，M個の多重スポット方式のN個の書き込み器を用いて情報担体に書込むための方法を例示しているフローチャート線図であり，N及びMは，2より小さいことはない整数で，N≦Mである。本発明では，光ディスクが情報担体の例として取上げられている。
【００２５】
最初のステップS110で，M個の多重スポット方式の書き込み装置内をデータブロックが流れるとき，M個の多重スポット方式の各自の書き込み装置に対する書き込み容量が計算される。これ以降，ECCブロックがデータブロックの例として取上げられる。
【００２６】
この計算は，全ての書込まれた部分の総和がデータブロック全体と等しくなるまで，N個の書き込み器がデータブロックの異なる部分を同時に書込むと仮定された条件の下で実施される。本発明における書き込み容量とは，書き込み器が具体的な条件下で書込むことのできるデータ量を意味し，当該書き込み容量は，書き込み器が光ディスク上に書込むトラック長として逆算されることができる。書き込み容量は，データブロックのデータの割合であってもよい。
【００２７】
種々異なる光ディスクのフォーマットに対して，連続した螺旋の形状をした一つのECCデータブロックのトラック長は異なっていて，決められている。例えばDVDフォーマットでは，一つのECCブロックが占有する連続したトラック長は，大体82.3mmであり，BDディスクのフォーマットでは，大体71.9mmである。
【００２８】
これゆえ，N個の書き込み器がデータブロックの異なる部分を書込む場合，ECCブロックの各部分の総和は，ディスクがDVDフォーマットのディスクであるならば82.3mmに等しくなければならず，ディスクがBDフォーマットのディスクであるならば71.9mmに等しくなければならない。各書き込み器の総数と現在の位置（例えば，ディスクの中央からの距離）とに基づいて，各部分の書き込み容量又はトラック長は，当業者にとっては容易に計算される。
【００２９】
所与のディスクフォーマット及び所与のデータブロックの種類に対して，各書き込み器の書き込み容量が，参考のためにメモリ内に記憶されてもよく，斯様な状況下では，各データブロックの書き込みに対する書き込み容量を計算する必要はなく，ステップS110は省略されることができる。ステップS110は，具体的な位置での各書き込み器の書き込み容量がリストアップされている参照ファイルからN個の書き込み器の各自に対する事前に決められた書き込み容量を取得する，取得ステップによって代替されることができる。
【００３０】
次に，ステップS120にて，N個の書き込み器の各自の書き込み容量に応じて，データブロックはN個の部分へと分割される。データの各部分の前後に，全体のデータブロック内での当該データ部分のシーケンスをマークするために，例えばシーケンス番号等の，幾つかの追加情報が加えられてもよい。
【００３１】
最後のステップS130では，N個の書き込み器がデータのN個の部分を光ディスク上に同時に，個別に書込む。全ての書き込み器は，ECCブロックの個別の部分の書き込みを同時に開始し，同時に終了する。従って当該ECCブロックは，従来のM個の多重スポット方式又は単一スポット方式が要する1/Nの時間でディスク上に書き込まれることが可能である。好ましくは，これらデータのN個の部分は，N個の隣接するトラック上に書き込まれる。
【００３２】
この書き込み方法により，データブロックが光ディスク上に2次元で書き込まれることができ，従来のM個の多重スポット方式又は単一スポット方式に比較して，一つのデータブロックをデータ処理するためのデータレートは，殆どN倍に増大する。同時に，書き込み装置のバッファ容量が減じられることができ，コストが節約される。この方法は，M個の多重スポット方式による他の情報担体で実行されることも可能である。
【００３３】
図2は，本発明の一つの実施例に従い，M個の多重スポット方式のN個の書き込み器によって光ディスク250に書込むための装置200の構造を示している簡略化されたブロック線図である。ここで，N及びMは，2より小さいことはない整数で，N≦Mである。当該装置200は，計算手段210，分割手段220，及び書き込み手段230を有する。
【００３４】
データブロックが流れるとき，計算手段210は，N個の書き込み器の各自に対する書き込み容量を計算する。この計算は，全ての書込まれた部分の総和がデータブロック全体と等しくなるまで，N個の書き込み器がデータブロックの異なる部分を同時に書込むと仮定された条件の下で実施される。
【００３５】
所与のディスクフォーマット及び所与のデータブロックの種類に応じて，所与の位置での各書き込み器の書き込み容量がメモリ内に記憶されている場合，計算手段110は，N個の書き込み器の各自に対する事前に決められた書き込み容量を当該メモリから取得する取得手段によって代替されてもよい。当該メモリ内には，具体的な位置での各書き込み器の書き込み容量が供されている。
【００３６】
書き込み容量に応じ，データブロックは分割手段220によって，N個の部分へと分割される。データの各部分の前後に，全体のデータブロック内での当該データ部分のシーケンスをマークするために，幾つかの追加情報が加えられる。
【００３７】
次に，書き込み手段230がデータのN個の部分を光ディスク250上にN個の書き込み器にて書込む。N個の書き込み器は，データのN個の部分を光ディスク上へ同時に，個別に書込む。全ての書き込み器は，ECCブロックの関連部分の書き込みを，好ましくは同時に開始し，終了し，これらデータのN個の部分が光ディスク250のN個の隣接するトラック上に好ましくは書き込まれる。
【００３８】
装置200は，図1に例示された方法を実行する。装置200により，従来のM個の多重スポット方式と比較してECCブロックを書込む時間は，殆ど1/Nに短縮され，一つのECCブロックをデータ処理するためのデータレートは，殆どN倍に増大される。同時に，装置200は，より少ないバッファ容量を維持し，コストが節約される。
【００３９】
装置200及び情報をエンコードするためのエンコーダをもつ情報担体レコーダも提案され，これにより従来のM個の多重スポット方式のコストに比較して，データブロックをデータ処理するための時間は殆ど1/Nに減じられ，バッファリングのコストが減じられる。
【００４０】
図3は，本発明の一つの実施例に従い，データブロックがN個の部分としてN個の隣接するトラック内に記憶されている情報担体を描いている。光ディスク300が，当該情報担体の例として取上げられている。図3では，各々扇型をした四角形が，ディスク300上に記憶された一つのECCデータブロックを表す。黒い楕円は，矢印によって示された半径方向に線状に並べられたN個の書き込み器を表す。
【００４１】
図Iは，光ディスク300の部分拡大図である。図Iは，スポットSとしてまとめてマークされている7個の書き込み器にて，光ディスク300が書込まれていることを示している。書き込みの間，全ての7個の書き込み器は， Lsから同時に書き込み始め，Leで同時に書き込みを終了する。
【００４２】
開始の境界Lsと終了の境界Leとの間の7個のトラックに記憶された全てのデータが，一つのECCブロックに属する。これは，LsとLeとの間の7個のトラックの長さの総和が，1本の連続した螺旋形状の一つのECCブロックの連続したトラック長に等しいことを意味している。そして，データブロック全体のトラック長は，具体的な光ディスクのフォーマットに応じて規定される。全ての書き込み器が個々の部分の書込みを同時に開始し，同時に終了するので，図3に示されるように，書込まれた部分は同じ角度αだけ回転する。各書き込み器の半径とデータブロックの全トラック長とによって，各書き込み器の書き込み容量を知ることは当業者にとっては容易である。
【００４３】
図4は，本発明の一つの実施例に従って，データブロックがN個の部分として記憶されている，別の情報担体400を描いている。図3に示された情報担体300と比較して，相違点はデータブロックを記憶しているエリアが扇型をした四角形の代わりに，より矩形状をしていることであり，これゆえ，データの7個の部分が殆ど同一である。これは，各書き込み器の書き込み容量が等しいことを意味している。
【００４４】
これらの7個の書き込み器は，図4に示されたように直線に並んでおり，これらの書き込み器は，異なるトラックのトラック方向に配列されることも可能である。
【００４５】
ディスク上の各書き込み器の書き込み容量の情報は別として，具体的なフォーマットをもつブランクの光ディスクに対し，製造者がデータブロックの各部分の割り当て情報とリンク情報とを参考までに記憶することも可能である。
【００４６】
図5は，本発明の一つの実施例によって，M個の多重スポット方式のN個の読み取り器にて光ディスクを読み取るための方法を例示しているフローチャート線図であり，N及びMは，2より小さいことはない整数で，N≦Mである。
【００４７】
第1のステップS510において，本発明で提案された光ディスクがM個の多重スポット方式の光ディスクプレイヤ内へと挿入されると，N個の読み取り器がデータブロックのN個の部分を同時に拾い上げる。
【００４８】
好ましくは，これらのN個の部分は同時に拾い上げられる，即ち，部分の大きさが異ならない限りは，N個の読み取り器は読み取りを同時に開始し，同時に終了する。一つだけの読み取り器がデータブロックを拾い上げる時間の1/Nで，これらのN個の部分のデータは蓄積されることができる。
【００４９】
後続のステップS520で，N個の部分は全体のデータブロックへと一つにされる。N個の部分が拾い上げられた後，これらは全体のデータブロックの具体的なシーケンスに従って一つにされる。
【００５０】
上で説明したように，データブロックがN個の部分へと分割される場合は，全体のデータブロック内での分割されたデータブロックのシーケンスをマークするために，各データ部分の前後に幾つかの追加情報が設定される。これゆえ，これらのマークに従って，各部分は一つのデータブロックへと一体化される。データブロックが一体化された後，当該データブロックは，例えばエラー訂正を実施するために，更にデータ処理される。
【００５１】
この読み取り方法によって，従来のM個の多重スポット方式と比較して，一つのECCブロックをデータ処理するデータレートは殆どN倍に増大され，バッファリングのコストが減じられる。
【００５２】
図6は，本発明の一つの実施例に従ったM個の多重スポット方式のN個の読み取り器により光ディスク650を読み取るための装置600を示している簡略化されたブロック線図であり，N及びMは，2より小さいことはない整数で，N≦Mである。当該装置600は，読み取り手段610と，一体化手段620とを有する。当該装置600は，図5に例示された方法を実行する。
【００５３】
図6では，M個の多重スポット方式のN個の読み取り器をもつ読み取り手段610が，本発明で提案したように，光ディスク650からデータブロックのN個の部分を同時に拾い上げる。
【００５４】
これらのN個の部分は同時に拾い上げられる，即ち，N個の読み取り器はN個の部分の読み取りを同時に開始し，同時に終了する。これゆえ，従来のM個の多重スポット方式で，一つだけの読み取り器がデータブロックを拾い上げる時間の1/Nで，データのN個の部分が蓄積されることができる。
【００５５】
次に，一体化手段620は，蓄積されたN個の部分を一つの一体化されたデータブロックへと一体化する。N個の部分が拾い上げられた後，これらの部分は，データブロック内でこれらの部分の具体的なシーケンスに従って一つにされる。
【００５６】
この読み取り装置600によって，従来のM個の多重スポット方式と比較すると，一つのECCブロックをデータ処理するデータレートは殆どN倍に増大され，バッファリングのコストが減じられる。
【００５７】
装置600及びデコーディング手段をもつ光ディスクプレイヤが本発明で提案され，従来のM個の多重スポット方式と比較すると，データブロックをデータ処理するデータレートは殆どN倍に増大され，バッファリングのコストが減じられる。
【００５８】
本発明で提案された方法，装置，プレイヤ，及びレコーダは，単一の螺旋のディスクと同様，多重螺旋のディスクで実行されることができる。
【００５９】
本発明によれば，ECCブロックを書込む/読み出す方式は，1次元型ではなく2次元型である。これゆえ，一つのデータブロックをデータ処理するデータレートが大幅に増大される。同時に，必要とされるバッファリング容量はより少なくてすみ，従ってコストは下がり，高いデータレートが実現される。
【００６０】
動詞「有する」及びその活用形の使用は，請求項で記載された以外の要素又はステップの存在を排除するものではない。要素又はステップに先行する冠詞「a」及び「an」の使用は，斯様な要素又はステップの複数の存在を排除するものではない。
【図面の簡単な説明】
【００６１】
【図１】本発明の一つの実施例に従った，M個の多重スポット方式のN個の書き込み器を用いて光ディスクに書込むための方法を例示しているフローチャート線図を示す。
【図２】本発明の一つの実施例に従った，M個の多重スポット方式のN個の書き込み器を用いて光ディスクに書込むための装置を示している簡略化されたブロック線図を示す。
【図３】本発明の一つの実施例に従った，一体化されたデータブロックがN個のトラック内でN個の部分として記憶されている情報担体を描いている。
【図４】本発明の一つの実施例に従った，一体化されたデータブロックがN個のトラック内でN個の部分として記憶されている別の情報担体を描いている。
【図５】本発明の一つの実施例に従った，M個の多重スポット方式のN個の読み取り器を用いて光ディスクを読み取るための方法を例示しているフローチャート線図を示す。
【図６】本発明の一つの実施例に従った，M個の多重スポット方式のN個の読み取り器を用いて光ディスクを読み取るための装置を示している簡略化されたブロック線図を示す。
【図１】
2009529751.tif 000003
【図２】
2009529751.tif 000004
【図３】
2009529751.tif 000005
【図４】
2009529751.tif 000006
【図５】
2009529751.tif 000007
【図６】
2009529751.tif 000008
【国際調査報告】
2009529751.tif 000009
2009529751.tif 000010